(57)【要約】【課題】  従来、ヘッドホンやイヤホンを備えた緊急警報放送受信装置は、ヘッドホンやイヤホンをジャックに差し込むとスピーカは機械的に切り離され、スピーカからは音声が出力しないようになっている。このため緊急事態に対応することができない場合がある。【解決手段】  緊急警報放送受信装置1において、オーディオ回路部5の音声データをヘッドフォン7に出力するジャック20と、オーディオ回路部5の音声データをスピーカ6又はジャック20に切り替える出力切替回路13を備え、チューナ部2は緊急警報放送を起動する緊急警報放送起動用パイロット信号を受信したとき緊急警報放送チャンネルを選局し、出力切替回路13はコントロールインターフェース8の制御信号により、オーディオ回路部5からの音声データを少なくともスピーカ6から出力するように切替スイッチ21〜24を制御する。これにより常にスピーカ6から緊急警報放送が流れるようになる。【選択図】図１
2006340164.tif 000002
【特許請求の範囲】
【請求項１】
放送電波を受信し所望の放送チャンネルを選局し、該選局された放送チャンネルに関するデータを出力するチューナ部と、前記チューナ部からの出力データを入力し少なくとも音量を調節する機能を備えたオーディオ回路部と、前記オーディオ回路部からの音声データを入力し音声として出力するスピーカを備えた緊急警報放送受信装置において、
前記オーディオ回路部の音声データをヘッドフォン又はイヤフォンに出力するジャックと、
前記オーディオ回路部の音声データを前記スピーカ又は前記ジャックに切り替える切替手段を備え、
前記チューナ部は、緊急警報放送を起動する緊急警報放送起動用パイロット信号を受信したとき緊急警報放送チャンネルを選局し、
前記切替手段は、前記オーディオ回路部からの音声データを少なくとも前記スピーカから出力するように制御されることを特徴とする緊急警報放送受信装置。
【請求項２】
前記チューナ部が前記緊急警報放送起動用パイロット信号を受信したとき、前記オーディオ回路部は音声出力を最大音量に調整することを特徴とする請求項１に記載の緊急警報放送受信装置。
【請求項３】
前記チューナ部が前記緊急警報放送起動用パイロット信号を受信したとき、前記切替手段は前記オーディオ回路部からの音声データを前記スピーカと前記ジャックの両方から出力するように制御されることを特徴とする請求項１又は請求項２に記載の緊急警報放送受信装置。
【請求項４】
前記チューナ部からの出力データを入力し音声信号と映像信号に分離する信号処理部と、
前記信号処理部で分離された前記映像信号を基に映像を表示する映像表示部を備え、
前記信号処理部で分離された前記音声信号は前記オーディオ回路部に出力されることを特徴とする請求項１又は請求項３に記載の緊急警報放送受信装置。
【請求項５】
前記信号処理部は、緊急警報放送を起動する緊急警報放送起動用パイロット信号を受信したとき予め用意された緊急警報放送開始画面の映像信号を出力することを特徴とする請求項４に記載の緊急警報放送受信装置。
【請求項６】
前記信号処理部は、前記チューナ部が前記緊急警報放送起動用パイロット信号を受信してから前記緊急警報放送チャンネルを選局完了するまでの間において、前記緊急警報放送開始画面の映像信号を出力することを特徴とする請求項５に記載の緊急警報放送受信装置。
【請求項７】
スピーカと、ヘッドフォン又はイヤフォンとの音声出力を切り替えることができる緊急警報放送受信装置の緊急警報放送受信方法において、
チューナ部が緊急警報放送を起動する緊急警報放送起動用パイロット信号を受信したとき緊急警報放送チャンネルを選局し、
オーディオ回路部により選局された前記緊急警報放送の音量を調整し、
少なくとも前記スピーカから音声を出力するように切り替えて前記スピーカから緊急警報放送の音声を出力することを特徴とする緊急警報放送受信方法。
【請求項８】
前記緊急警報放送起動用パイロット信号を受信したとき、前記オーディオ回路部により緊急警報放送の音量を最大音量に調整することを特徴とする請求項７に記載の緊急警報放送受信方法。
【請求項９】
前記緊急警報放送起動用パイロット信号を受信したとき、前記緊急警報放送の音声が前記スピーカと前記ジャックの両方から出力されるように切り替えることを特徴とする請求項７又は請求項８に記載の緊急警報放送受信方法。
【請求項１０】
前記チューナ部からの出力データを信号処理部により音声信号と映像信号に分離し、
分離された前記音声信号を前記オーディオ回路部に出力し、
分離された前記映像信号を映像表示部に出力することを特徴とする請求項７又は請求項９に記載の緊急警報放送受信方法。
【請求項１１】
緊急警報放送を起動する緊急警報放送起動用パイロット信号を受信したとき予め用意された緊急警報放送開始画面の映像信号を前記信号処理部から前記映像表示部に出力することを特徴とする請求項１０に記載の緊急警報放送受信方法。
【請求項１２】
前記チューナ部が前記緊急警報放送起動用パイロット信号を受信してから緊急警報放送チャンネルを選局完了するまでの間、前記緊急警報放送開始画面を前記映像表示部に出力することを特徴とする請求項１１に記載の緊急警報放送受信方法。
【請求項１３】
前記オーディオ回路部と前記映像表示部が休止状態で前記チューナ部が動作状態の電源スタンバイ状態にあるとき、緊急警報放送を起動する緊急警報放送起動用パイロット信号を受信すると、緊急警報放送チャンネルを選局し、ＬＣＤ電源を起動し、ＬＣＤバックライトを起動し、音声回路を起動し、スピーカから音声を出力することを特徴とする請求項７乃至請求項１２のいずれか一項に記載の緊急警報放送受信方法。
【発明の詳細な説明】
【技術分野】
【０００１】
本発明は緊急警報放送受信装置、及び緊急警報放送受信方法に係り、特に緊急警報放送受信時には強制的にスピーカから音声出力されるように自動的に切換える緊急警報放送受信装置、及び緊急警報放送受信方法に関する。
【背景技術】
【０００２】
緊急警報放送は、地震、津波、洪水、火災などの発生を、テレビやラジオの通常の放送を中断して緊急に放送される。緊急警報放送が行われるときには、放送局から緊急警報放送起動用フラグ（緊急警報放送起動用パイロット信号など）が挿入された電波が送信され、この緊急警報放送起動用フラグを受信したテレビやラジオの受信装置は、通常の放送を中断して緊急警報放送を放送するようにしている。
【０００３】
緊急警報放送に関する従来技術として特開昭５８−１３４５８８号公報（特許文献１）がある。図６は特許文献１に開示された従来技術を示すものである。１０１はアンテナ、１０２はチューナ、１０３は音声検波装置、１０４は符号検出装置、１０５は音声出力装置、１０６はスピーカ、１０７は映像検波装置、１０８は映像出力装置、１１５は映像調節装置、１０９は電源および偏向装置、１１０はブラウン管、１１１は偏向コイル、１１２は待機用電源、１１３は商用電源入力端子、１１４は音量調節装置を示す。この緊急警報放送受信装置はメイン電源がオフされていても、待機用電源１１２によりチューナ１０２、音声検波装置１０３、符号検出装置１０４に電源が供給されており緊急警報放送用特殊符号が受信可能になっている。緊急警報放送用特殊符号が受信されると、通常の放送を視聴中は直ちに緊急警報放送を聴くことができ、受信装置の電源が切断されているときは自動的に電源１０９から音声出力装置１０５、音量調節装置１１４、映像検波装置１０７、映像調節装置１１５の電源が供給され緊急警報放送を聴くことができるようになっている。また、緊急警報放送の場合には符号検出装置１０４から音量調節装置１１４に出力される信号により音量が警報視聴に最適な大きさに自動調整され、符号検出装置１０４から映像調節装置１１５に出力される信号によりブラウン管の輝度を高輝度に自動調整されるようになっている。
【特許文献１】特開昭５８−１３４５８８号公報
【発明の開示】
【発明が解決しようとする課題】
【０００４】
ところで、テレビやラジオなどの受信装置は、特許文献１に記載されたように常にスピーカが接続されているとは限らない。モバイル放送をはじめとする緊急警報放送受信機能を持つ機器で内蔵スピーカとヘッドホンまたはイヤホンの両方を備えるものがある。モバイル放送は主に屋外でヘッドホンでの使用が中心となる。また、屋内のテレビやラジオでもヘッドホンやイヤホンで視聴する場合がある。ヘッドホンやイヤホンを備えた受信装置は、ヘッドホンやイヤホンをジャックに差し込むことにより、ヘッドホンやイヤホンで視聴できるようになっている。しかし、ヘッドホンやイヤホンをジャックに差し込むとスピーカは機械的に切り離され、スピーカからは音声が出力しないようになっている。このようなヘッドホンやイヤホンで視聴した後、ヘッドホンやイヤホンのジャックを挿入した状態のままで置くと、緊急警報放送を受信しても音声が聞こえず、緊急事態に対応することができなくなる。
【０００５】
本発明の目的は、上記問題点に鑑み、ヘッドホンやイヤホンで視聴した後、ヘッドホンやイヤホンのジャックを挿入した状態のままで置かれても緊急警報放送を受信した場合には、緊急警報放送の音声を聴くことのできる緊急警報放送受信装置を提供することにある。
【課題を解決するための手段】
【０００６】
本発明の請求項１に係る発明の要旨は、放送電波を受信し所望の放送チャンネルを選局し、該選局された放送チャンネルに関するデータを出力するチューナ部と、前記チューナ部からの出力データを入力し少なくとも音量を調節する機能を備えたオーディオ回路部と、前記オーディオ回路部からの音声データを入力し音声として出力するスピーカを備えた緊急警報放送受信装置において、前記オーディオ回路部の音声データをヘッドフォン又はイヤフォンに出力するジャックと、前記オーディオ回路部の音声データを前記スピーカ又は前記ジャックに切り替える切替手段を備え、前記チューナ部は、緊急警報放送を起動する緊急警報放送起動用パイロット信号を受信したとき緊急警報放送チャンネルを選局し、前記切替手段は、前記オーディオ回路部からの音声データを少なくとも前記スピーカから出力するように制御されることを特徴とする緊急警報放送受信装置に存する。
また、本発明の請求項２に係る発明の要旨は、前記チューナ部が前記緊急警報放送起動用パイロット信号を受信したとき、前記オーディオ回路部は音声出力を最大音量に調整することを特徴とする請求項１に記載の緊急警報放送受信装置に存する。
また、本発明の請求項３に係る発明の要旨は、前記チューナ部が前記緊急警報放送起動用パイロット信号を受信したとき、前記切替手段は前記オーディオ回路部からの音声データを前記スピーカと前記ジャックの両方から出力するように制御されることを特徴とする請求項１又は請求項２に記載の緊急警報放送受信装置に存する。
また、本発明の請求項４に係る発明の要旨は、前記チューナ部からの出力データを入力し音声信号と映像信号に分離する信号処理部と、前記信号処理部で分離された前記映像信号を基に映像を表示する映像表示部を備え、前記信号処理部で分離された前記音声信号は前記オーディオ回路部に出力されることを特徴とする請求項１又は請求項３に記載の緊急警報放送受信装置に存する。
また、本発明の請求項５に係る発明の要旨は、前記信号処理部は、緊急警報放送を起動する緊急警報放送起動用パイロット信号を受信したとき予め用意された緊急警報放送開始画面の映像信号を出力することを特徴とする請求項４に記載の緊急警報放送受信装置に存する。
また、本発明の請求項６に係る発明の要旨は、前記信号処理部は、前記チューナ部が前記緊急警報放送起動用パイロット信号を受信してから前記緊急警報放送チャンネルを選局完了するまでの間において、前記緊急警報放送開始画面の映像信号を出力することを特徴とする請求項５に記載の緊急警報放送受信装置に存する。
また、本発明の請求項７に係る発明の要旨は、スピーカと、ヘッドフォン又はイヤフォンとの音声出力を切り替えることができる緊急警報放送受信装置の緊急警報放送受信方法において、チューナ部が緊急警報放送を起動する緊急警報放送起動用パイロット信号を受信したとき緊急警報放送チャンネルを選局し、オーディオ回路部により選局された前記緊急警報放送の音量を調整し、少なくとも前記スピーカから音声を出力するように切り替えて前記スピーカから緊急警報放送の音声を出力することを特徴とする緊急警報放送受信方法に存する。
また、本発明の請求項８に係る発明の要旨は、前記緊急警報放送起動用パイロット信号を受信したとき、前記オーディオ回路部により緊急警報放送の音量を最大音量に調整することを特徴とする請求項７に記載の緊急警報放送受信方法に存する。
また、本発明の請求項９に係る発明の要旨は、前記緊急警報放送起動用パイロット信号を受信したとき、前記緊急警報放送の音声が前記スピーカと前記ジャックの両方から出力されるように切り替えることを特徴とする請求項７又は請求項８に記載の緊急警報放送受信方法に存する。
また、本発明の請求項１０に係る発明の要旨は、前記チューナ部からの出力データを信号処理部により音声信号と映像信号に分離し、分離された前記音声信号を前記オーディオ回路部に出力し、分離された前記映像信号を映像表示部に出力することを特徴とする請求項７又は請求項９に記載の緊急警報放送受信方法に存する。
また、本発明の請求項１１に係る発明の要旨は、緊急警報放送を起動する緊急警報放送起動用パイロット信号を受信したとき予め用意された緊急警報放送開始画面の映像信号を前記信号処理部から前記映像表示部に出力することを特徴とする請求項１０に記載の緊急警報放送受信方法に存する。
また、本発明の請求項１２に係る発明の要旨は、前記チューナ部が前記緊急警報放送起動用パイロット信号を受信してから緊急警報放送チャンネルを選局完了するまでの間、前記緊急警報放送開始画面を前記映像表示部に出力することを特徴とする請求項１１に記載の緊急警報放送受信方法に存する。
また、本発明の請求項１３に係る発明の要旨は、前記オーディオ回路部と前記映像表示部が休止状態で前記チューナ部が動作状態の電源スタンバイ状態にあるとき、緊急警報放送を起動する緊急警報放送起動用パイロット信号を受信すると、緊急警報放送チャンネルを選局し、ＬＣＤ電源を起動し、ＬＣＤバックライトを起動し、音声回路を起動し、スピーカから音声を出力することを特徴とする請求項７乃至請求項１２のいずれか一項に記載の緊急警報放送受信方法に存する。
【発明の効果】
【０００７】
本発明によれば、ヘッドホンやイヤホンがジャックに差し込まれた状態で放置されていても、緊急警報放送が開始された場合にはスピーカから音声が出力され、緊急警報放送を聞き漏らすことを防止できる効果がある。
また、緊急警報放送時には少なくともスピーカから最大音量で緊急警報放送を聴くことができ、緊急警報放送を聞き漏らすことを防止できる効果がある。
また、緊急警報放送が開始されるまでの選局に要する時間を利用して、予め緊急警報放送用に用意した画面を表示することができ、これから緊急警報放送が始まることをいち早く視聴者に知らせることができる効果がある。
【発明を実施するための最良の形態】
【０００８】
以下、本発明を実施するための最良の形態を、図面を参照して具体的に説明する。
【０００９】
（第１の実施の形態）
図１は本発明の第１実施の形態による緊急警報放送受信装置としてのモバイル放送端末の構成図である。
【００１０】
１はモバイル放送端末である。モバイル放送端末１はチューナ部２、信号処理部３、システムコントロール回路４、オーディオ回路部５、スピーカ６（６−１はＲチャンネルスピーカ、６−２はＬチャンネルスピーカ）、ドライバ回路（ＬＣＤ（液晶ディスプレイ）制御回路）１４、映像表示部（ＬＣＤ等）１５、ヘッドフォン用のジャック２０、アンテナ２５から構成されている。このモバイル放送端末１にはヘッドフォン７がジャック２０を介して接続されるようになっている。
【００１１】
チューナ部２はアンテナ２５で受けた放送電波から所望の番組を選局、復調して、選局された番組のＴＳ（トランスポートストリーム）信号を信号処理部３に出力する。チューナ部２にはフロントマイコン１６（以下マイクロコンピュータをマイコンという）が備わり、フロントマイコン１６はシステムコントロール回路４との間で制御信号をやり取りし番組選局の制御を行う。また、外部からの受信情報（緊急警報放送起動用パイロット信号の受信情報など）をシステムコントロール回路４に伝達する。
【００１２】
信号処理部３はＤＥＭＵＸ（Demultiplexer）部１７、音声信号処理部１８、映像信号処理部１９からなる。ＤＥＭＵＸ部１７はチューナ部２から入力されるＴＳ信号を音声信号と映像信号に分離して音声データを音声信号処理部１８に出力し、映像データを映像信号処理部１９に出力する。
【００１３】
映像信号処理部１９はＤＥＭＵＸ部１７から入力される映像データを基にＭＰＥＧ−２の圧縮画像データを生成してドライバ回路１４に出力する。ドライバ回路１４は映像信号処理部１９から入力された映像データ信号を基にＲ（赤），Ｇ（緑），Ｂ（青）の映像信号を生成し、映像表示部１５はこの映像信号を入力しＬＣＤに映像を表示する。
【００１４】
音声信号処理部１８はＤＥＭＵＸ部１７から入力される音声データを基にＭＰＥＧ−２の圧縮音声データを生成してオーディオ回路部５に出力する。
【００１５】
オーディオ回路部５は、システムコントロール回路４からの音声出力切替データ信号を受けて音声出力をスピーカ６から出力するかヘッドフォン７から出力するかの切替信号を出力するコントロールインターフェース８、音声信号処理部１８からのデータ信号のタイミングなどを整え、また音量、音質を調整する機能を有するディジタルオーディオインターフェース９、ディジタルフィルタ１０、Ｒチャンネル用ＤＡＣ（デジタルアナログ変換器）１１、Ｌチャンネル用ＤＡＣ（デジタルアナログ変換器）１２、音声信号をスピーカ６またはヘッドフォン７に切換える出力切替回路１３を備えている。
【００１６】
出力切替回路１３は切替スイッチ２１〜２４を備えており、コントロールインターフェース８からの信号により切替スイッチ２１、２２をオンするか、または切替スイッチ２３、２４をオンするか、あるいは切替スイッチ２１〜２４の全てをオンさせるかの切り替えを行う。切替スイッチ２１のＲチャンネル用音声出力はＲチャンネルスピーカ６−１に接続され、切替スイッチ２２のＬチャンネル用音声出力はＬチャンネルスピーカ６−２に接続され、切替スイッチ２３、２４のＲ，Ｌチャンネル用音声出力はヘッドフォン用ジャック２０に接続されている。ヘッドフォン用ジャック２０へ入力された切替スイッチ２３を介したＲチャンネル用音声出力はヘッドフォン７のＲチャンネルに、また、切替スイッチ２４を介したＬチャンネル用音声出力はヘッドフォン７のＬチャンネルに接続されている。
【００１７】
本実施の形態における出力切替回路１３は、通常の視聴時には出力切替回路１３をスピーカかヘッドフォンのいずれか一方から音声が出力されるように切り替え、緊急警報放送時には少なくともスピーカ６から音声が出力されるように切り替える。
【００１８】
以上のように構成されたモバイル放送端末１が緊急警報放送を開始するパイロット信号を受信したとき、どのように動作するかを以下に説明する。
【００１９】
図２はモバイル放送端末１の動作を説明するフローチャートである。
まず、モバイル放送端末１の電源回路を起動させる（ステップＳ１）。すると、システムコントロール回路４に備わるマイコンが動作を開始しメインシステムが起動する（ステップＳ２）。次にシステムの初期化が行われる（ステップＳ３）。
【００２０】
次に、モバイル放送端末１の各処理部の電源が順次起動される。まずステップＳ４でチューナの電源が起動され、ステップＳ５でＬＣＤの電源が起動され、ステップＳ６でＬＣＤバックライトが起動される。
【００２１】
ステップＳ７において、ヘッドフォン用ジャック２０からのジャックＯＮ／ＯＦＦ信号によりヘッドホン７がジャック２０に差し込まれているかどうかを判断する。ジャックＯＮ／ＯＦＦ信号がＯＦＦである場合にはヘッドフォン７がジャック２０に差し込まれていないと判断し、ステップＳ８に進む。ステップＳ８ではスピーカ６から音声を出力するように切替スイッチ２１、２２がオンされ、スピーカ６から音声が出力される。
【００２２】
このように、スピーカ６から音声が出力されている状態で緊急警報放送起動用パイロット信号を受信すると（ステップＳ９）、フロントマイコン１６は選局を緊急警報放送に変更する処理を実行する（ステップＳ１０）。
【００２３】
フロントマイコン１６はシステムコントロール回路４にも緊急警報放送起動用パイロット信号を受信したことの緊急警報放送起動情報を送り、この緊急警報放送起動情報を受け取ったシステムコントロール回路４のマイコンは緊急警報放送用に用意した緊急警報放送開始画面に表示を切り替える処理を実行する（ステップＳ１１）。
【００２４】
この緊急警報放送開始画面は、ステップＳ１０において緊急警報放送起動用パイロット信号を受信して選局が完了し、緊急警報放送が開始されるまでの間映像表示装置１５に表示される。緊急警報放送開始画面はシステムコントロール回路４に内蔵された緊急警報放送開始画面メモリに予め記憶されており、フロントマイコン１６から緊急警報放送起動情報が送られてきたときに、緊急警報放送開始画面メモリに記憶されたデータを信号処理部３に送り映像表示部１５に緊急警報放送開始画面を表示する。これにより、これから緊急警報放送が始まることをいち早く視聴者に知らせることができる。ディジタル系放送はアナログ系放送よりも選局に時間がかかるので、緊急警報放送が始まる前に表示を行うことで、情報入手の漏れを少なくできる。
【００２５】
チューナ部２は、緊急警報放送の選局が完了したら、画面を緊急警報放送用チャンネルに切り替え、緊急警報放送のＴＳ信号を信号処理部３に出力する（ステップＳ１２）。
【００２６】
画面を緊急警報放送用チャンネルに切り替えた情報は同時にフロントマイコン１６からシステムコントロール回路４に送られ、システムコントロール回路４のマイコンは最大音量指令信号をディジタルオーディオインターフェース９に送る。これによりスピーカは最大音量で緊急警報放送を開始する（ステップＳ１３）。
【００２７】
ステップＳ７において、ヘッドフォン用ジャック２０からのジャックＯＮ／ＯＦＦ信号によりヘッドホン７がジャック２０に差し込まれているかどうかを判断し、ジャックＯＮ／ＯＦＦ信号がＯＮである場合にはヘッドフォン７がジャック２０に差し込まれていると判断し、ステップＳ１４に進む。ステップＳ１４ではヘッドフォン７から音声を出力するように切替スイッチ２３、２４がオンされ、ヘッドフォン７から音声が出力される。
【００２８】
このように、ヘッドフォン７から音声が出力されている状態で緊急警報放送起動用パイロット信号を受信すると（ステップＳ１５）、フロントマイコン１６は選局を緊急警報放送に変更する処理を実行する（ステップＳ１６）。
【００２９】
フロントマイコン１６はシステムコントロール回路４にも緊急警報放送起動用パイロット信号を受信したことの緊急警報放送起動情報を送り、この緊急警報放送起動情報を受け取ったシステムコントロール回路４のマイコンは緊急警報放送用に用意した緊急警報放送開始画面に表示を切り替える処理を実行する（ステップＳ１７）。
【００３０】
この緊急警報放送開始画面は、ステップＳ１６において緊急警報放送起動用パイロット信号を受信して選局が完了し、緊急警報放送が開始されるまでの間映像表示部１５に表示される。緊急警報放送開始画面はシステムコントロール回路に内蔵された緊急警報放送開始画面メモリに予め記憶されており、フロントマイコン１６から緊急警報放送起動情報が送られてきたときに、緊急警報放送開始画面メモリに記憶されたデータを信号処理部３に送り映像表示部１５に緊急警報放送開始画面を表示する。これにより、これから緊急警報放送が始まることをいち早く視聴者に知らせることができる。ディジタル系放送はアナログ系放送よりも選局に時間がかかるので、緊急警報放送が始まる前に表示を行うことで、情報入手の漏れを少なくできる。
【００３１】
チューナ部２は、緊急警報放送の選局が完了したら、画面を緊急警報放送用チャンネルに切り替え、緊急警報放送のＴＳ信号を信号処理部３に出力する（ステップＳ１８）。
【００３２】
画面を緊急警報放送用チャンネルに切り替えた情報は同時にフロントマイコン１６からシステムコントロール回路４に送られ、システムコントロール回路４のマイコンは音声をスピーカ６とヘッドフォン７の両方から出力するための音声出力切替データ信号をコントロールインターフェース８に送る。また、最大音量指令信号がディジタルオーディオインターフェース９に送られる。これにより出力切替回路は切替スイッチ２１〜２４を全てオンさせ、スピーカとヘッドフォンは最大音量で緊急警報放送を開始する（ステップＳ１３）。
【００３３】
次にモバイル放送端末１が使用休止中で、電源がスタンバイ状態になっているときに緊急警報放送があったときの動作を説明する。図３はこのときの動作を説明するフローチャートである。
【００３４】
まず、ステップ２０において、システムの一部とチューナ部のみを起動し、映像回路と音声回路が停止状態の電源スタンバイ状態にあるとする。緊急警報放送受信装置はこのように、いつでも緊急警報放送が受信できるようにシステムの一部とチューナ部を待機状態で動作させている。
【００３５】
ステップＳ２１において、緊急警報放送起動用パイロット信号を受信すると（ステップＳ２１）、フロントマイコン１６は選局を緊急警報放送に変更する処理を実行する（ステップＳ２２）。
【００３６】
フロントマイコン１６は映像回路と音声回路の各処理部の電源を順次起動していく。まずステップＳ２３でシステムコントロール回路４からドライバ回路（ＬＣＤ制御回路）１４へＬＣＤ制御回路起動信号が送出されてドライバ回路１４の電源が起動され、ステップＳ２４でシステムコントロール回路４から映像表示部１５へＬＣＤバックライト起動信号が送出されてＬＣＤバックライトが起動され、ステップＳ２５でシステムコントロール回路４から信号処理部３へ信号処理部起動信号が送出され、また、システムコントロール回路４からオーディオ回路部５へオーディオ回路部起動信号が送出される。これにより、音声回路と映像回路の全てが起動され、使用準備が整った状態になる。
【００３７】
次にステップＳ２６に進み、スピーカ６とヘッドフォン７から音声を出力する。なお、ステップＳ２６は、図２に示したステップＳ１１〜Ｓ１３、ステップＳ１７〜Ｓ１９の手順を踏んで、緊急警報放送の選局の準備が整うまでの間緊急警報放送用に用意した画面を表示し（ステップＳ１１，Ｓ１７）、緊急警報放送の選局が完了したら画面を緊急警報放送用チャンネルに切り替え（ステップＳ１２，Ｓ１８）、音声出力を少なくともスピーカ６から最大音量で出力する（ステップＳ１３，Ｓ１９）ステップを含んでいる。
【００３８】
以上、本第１の実施の形態によれば、スピーカ６で視聴していても、ヘッドフォンで視聴していても緊急警報放送を聞き漏らすことがない。また、ヘッドホンやイヤホンがジャックに差し込まれた状態で放置されていても、緊急警報放送が開始された場合にはスピーカから音声が出力され、緊急警報放送を聞き漏らすことを防止できる効果がある。
【００３９】
また、緊急警報放送時には少なくともスピーカから最大音量で緊急警報放送を聴くことができ、緊急警報放送を聞き漏らすことを防止できる効果がある。
【００４０】
また、緊急警報放送が開始されるまでの選局に要する時間を利用して、予め緊急警報放送用に用意した画面を表示することができ、これから緊急警報放送が始まることをいち早く視聴者に知らせることができる効果がある。
【００４１】
（第２の実施の形態）
図４は本発明の第２の実施の形態による緊急警報放送受信装置としてのモバイル放送端末２６の構成図である。本実施の形態は第１の実施の形態とオーディオ回路部２７の構成が異なっている。
【００４２】
第１の実施の形態が出力切替回路１３の切替スイッチ２１〜２４をコントロールインターフェース８のスピーカ出力切替制御信号とヘッドフォン出力切替制御信号により切り替えていたのに対し、本実施の形態では出力切替回路３７として、ジャック３０にヘッドフォン７を差し込んだとき機械的に切り替えが行われる切替スイッチ３１、３２を備え、更に切替スイッチ３１、３２に並列接続された切替スイッチ３５、３６を備えている。切替スイッチ３１、３２はジャック３０にヘッドフォン７が差し込まれると機械的に接点が離れるようになっており、ヘッドフォンで視聴しているときはスピーカから音声が出力しない様になっている。
【００４３】
切替スイッチ３５、３６はコントロールインターフェース回路２９からのスピーカ出力切替制御信号により制御されるようになっている。そして、緊急警報放送が開始された場合にはスピーカ６で視聴しているかヘッドフォン７で視聴しているかに係わらず切替スイッチ３５、３６をオンさせて少なくともスピーカ６から大音量の緊急警報放送が流れるようにしたものである。スピーカ６で視聴している場合にはスピーカ６のみから音声が出力されるが、ヘッドフォン７で視聴している場合にはスピーカ６とヘッドフォン７の両方から音声が出力される。したがって、スピーカ６で視聴していても、ヘッドフォンで視聴していても緊急警報放送を聞き漏らすことがない。また、ヘッドフォンをジャックに差し込んだまま置かれている場合であってもスピーカから音声が出力され緊急警報放送を聞き漏らすことがない。なお、本実施の形態ではヘッドフォン７が差し込まれるジャック３０からはジャックＯＮ／ＯＦＦ信号がシステムコントロール２８へは出力されていない。
【００４４】
本実施の形態におけるモバイル放送端末１の動作は、第１の実施の形態に比べ、ステップＳ７のヘッドフォンがジャックに差し込まれているかどうかの判断ステップがない点と、第１の実施の形態のステップＳ１３，Ｓ１９における出力切替回路１３の切替スイッチ２１〜２４の切替制御に代えて、出力切替回路３７の切替スイッチ３５、３６の制御が行われる点が相違する。その他は、第１の実施の形態と同様なので詳しい説明は省略する。また、電源スタンバイの動作なども図３に示した第１の実施の形態と同様である。
【００４５】
図５は本実施の形態の動作フローチャートであるが、ステップＳ１〜Ｓ６は図２のステップＳ１〜Ｓ６と同じである。ステップＳ３３〜Ｓ３７はスピーカ６で視聴しているかヘッドフォン７で視聴しているかに係わらず図２のステップＳ８〜Ｓ１２，Ｓ１４〜Ｓ１８と共通の処理となる。
【００４６】
そして、第１の実施の形態の切替スイッチ２１〜２４を切り替えるステップＳ１３，Ｓ１９が、本実施の形態では切替スイッチ３５、３６をオンするステップＳ３８となる。すなわち、切替スイッチ３５、３６がオンして音声を少なくともスピーカから大音量で出力することができるようになる。
【００４７】
このように、本実施の形態ではスピーカ６で視聴しているか、ヘッドフォン７で視聴しているかに係わらず緊急警報放送が開始された場合には切替スイッチ３５、３６をオンさせて少なくともスピーカ６から大音量の緊急警報放送が流れるようにしたものである。
【００４８】
以上、本第２の実施の形態によれば、ヘッドホンやイヤホンがジャックに差し込まれた状態で放置されていても、緊急警報放送が開始された場合にはスピーカから音声が出力され、緊急警報放送を聞き漏らすことを防止できる効果がある。
【００４９】
また、緊急警報放送時には少なくともスピーカから最大音量で緊急警報放送を聴くことができ、緊急警報放送を聞き漏らすことを防止できる効果がある。
【００５０】
また、緊急警報放送が開始されるまでの選局に要する時間を利用して、予め緊急警報放送用に用意した画面を表示することができ、これから緊急警報放送が始まることをいち早く視聴者に知らせることができる効果がある。
【００５１】
以上、第１、第２の実施の形態ではモバイル放送端末のジャックに接続されるものをヘッドフォンとして説明したがイヤフォンであっても良い。また、上記第１、第２の実施の形態では緊急警報放送受信装置をモバイル放送端末を例にして説明したが、これに限らない。例えばテレビ、ラジオ、携帯電話など緊急警報放送を受信できる種々の受信装置に適用できる。
【００５２】
また、第１、第２の実施の形態により本発明を説明したが、本発明は上記実施の形態には限定されず、本発明の要旨を変更しない範囲で適宜変更して実施できることはいうまでもない。
【産業上の利用可能性】
【００５３】
本発明は、モバイル放送端末、テレビ、ラジオ、携帯電話など緊急警報放送を受信できる種々の受信装置に適用できる。
【図面の簡単な説明】
【００５４】
【図１】本発明の第１の実施形態による緊急警報放送受信装置の構成図である。
【図２】本発明の第１の実施形態による緊急警報放送受信装置の動作フローチャートである。
【図３】本発明の第１の実施形態による緊急警報放送受信装置の動作フローチャートである。
【図４】本発明の第２の実施形態による緊急警報放送受信装置の構成図である。
【図５】本発明の第２の実施形態による緊急警報放送受信装置の動作フローチャートである。
【図６】従来技術における緊急警報放送受信装置の構成図である。
【符号の説明】
【００５５】
１、２６・・・モバイル放送端末（緊急警報放送受信装置）
２・・・チューナ部
３・・・信号処理部
４、２８・・・システムコントロール回路
５、２７・・・オーディオ回路部
６・・・スピーカ
６−１・・・Ｒチャンネルスピーカ、
６−２・・・Ｌチャンネルスピーカ
７・・・ヘッドフォン
８・・・コントロールインターフェース
９・・・ディジタルオーディオインターフェース
１０・・・ディジタルフィルタ
１１・・・Ｒチャンネル用ＤＡＣ
１２・・・Ｌチャンネル用ＤＡＣ
１３、３７・・・出力切替回路
１４・・・ドライバ回路
１５・・・映像表示部
１６・・・フロントマイコン
１７・・・ＤＥＭＵＸ部
１８・・・音声信号処理部
１９・・・映像信号処理部
２０、３０・・・ジャック
２１〜２４、３１、３２、３５、３６・・・切替スイッチ
２５、１０１・・・アンテナ
２９・・・コントロールインターフェース
１０２・・・チューナ
１０３・・・音声検波装置
１０４・・・符号検出装置
１０５・・・音声出力装置
１０６・・・スピーカ
１０７・・・映像検波装置
１０８・・・映像出力装置
１０９・・・電源および偏向装置
１１０・・・ブラウン管
１１１・・・偏向コイル
１１２・・・待機用電源
１１３・・・商用電源入力端子
１１４・・・音量調節装置
１１５・・・映像調節装置
【図１】
2006340164.tif 000003
【図２】
2006340164.tif 000004
【図３】
2006340164.tif 000005
【図４】
2006340164.tif 000006
【図５】
2006340164.tif 000007
【図６】
2006340164.tif 000008